(57)【要約】【課題】騒音と大きさを最小化し、効率を最大化する空気処理装置を開発する。【解決手段】空気処理装置は、効率と有効性を最大化するための機能を含む。一つの実施形態において、センサ付空気通路は、通路を通って空気を引込むためにブロワにより創出された低圧力領域を利用する。別の実施形態において、フィルタ枠は、フィルタ枠と一体に形成された複数のコネクタを含む。別の実施形態において、スクリーンはブロワ取入れ口に隣接して配置される。スクリーンは、特定の方向に配向された複数の斜めの撚り線を含む。別の実施形態において、リモコン・ホルダはハウジングと一体に形成される。別の実施形態において、ガスケットがブロワとハウジングとの間に配置され、ブロワとハウジングとの間にシールを形成している。【選択図】図１
2011230123.tif 000002
【特許請求の範囲】
【請求項１】
取入れ口を有するブロワと；
前記ブロワ取入れ口に隣接して配置され、複数の斜めの撚り線を含むスクリーンと；
前記斜めの撚り線が、特定方向に配向されるように、前記スクリーンを前記ブロワに対し配置するための手段と；
を具備する空気処理装置。
【請求項２】
前記ブロワと前記スクリーンを保持するためのハウジングを含み、前記ハウジングは、第一のコネクタ手段を含み、そして前記スクリーンは、第二のコネクタ手段を含み、前記第二のコネクタ手段は前記斜めの撚り線の隅部に締結され、その結果前記第一と第二のコネクタ手段が一直線に並ぶとき、前記撚り線は前記特定の方向に配置される、請求項１に記載の空気処理装置。
【請求項３】
前記第一のコネクタ手段は、前記ハウジングから延びている少なくとも一つのネジ突起を含み、また前記第二のコネクタ手段は、前記スクリーンに少なくとも一つのネジ孔を含む、請求項２に記載の空気処理装置。
【請求項４】
前記スクリーンは切欠きを有し、また前記ハウジングは、そこから延びているタブを含み、前記切欠きは、前記斜めの撚り線の隅部に締結され、かつ前記タブを収納するための大きさにされ、前記タブは、前記スクリーンの前記切欠きに収まるとき、前記撚り線を前記特定の方向に配向するように配置される、請求項２に記載の空気処理装置。
【請求項５】
前記スクリーンは、拡大された金属メッシュである、請求項１に記載の空気処理装置。
【請求項６】
前記スクリーンは、周縁と中心の部分を含み、また前記複数の撚り線は交差し、かつ前記周縁の周囲に一緒に保持される、請求項５に記載の空気処理装置。
【請求項７】
前記スクリーンは成形された表面を含み、その結果前記スクリーンは、前記周縁の少なくとも一部で前記ハウジングと接触状態にあり、前記スクリーンは、前記中心部分において前記ブロワ取入れ口から離れて拡がる、請求項６に記載の空気処理装置。
【発明の詳細な説明】
【技術分野】
【０００１】
本発明は、空気処理装置に、具体的には可搬式室内空気フィルタ装置に関する。
【背景技術】
【０００２】
ここ数年、空気処理装置が人気を得てきている。清澄でない空気と関連する健康に対する関心の高まりとリスクの認識の増大は、この傾向の主な原因である。例えば、大気汚染物質は、呼吸器感染と、喘息と、アレルギを含む多くの呼吸困難を生ずるあるいは原因となることがある。さらに一部の大気汚染物質は、望ましくない臭気を生ずることがある。空気処理装置は、広範な設計に利用可能であるが、従来の空気処理装置は、空気がフィルタ要素を通して移動するブロワを含む。ブロワとフィルタ要素は一般に、ハウジングに含まれ、またブロワが、フィルタ要素を通して空気を引込んだり押進めたりするよう配置される。異なるフィルタ特性を備える多くの異なるフィルタ要素が、市販されている。例えば、微粒子フィルタは、空気から粒子状物質を取除くために利用できる。従来の微粒子フィルタは、空気がフィルタを通り過ぎるとき、粒子状物質を捕捉するガラスファイバもしくはエレクトレット型媒体などの物質を含む。別の事例では、脱臭フィルタを、空気から臭気を取除くために利用できる。従来の脱臭フィルタは、空気から主に吸着により汚染物質を取除く、活性炭、もしくは活性木炭を含む。
【発明の概要】
【発明が解決しようとする課題】
【０００３】
空気処理装置が広範に使用されるようになると、消費者は、騒音と大きさを最小化する一方、効率を最大化する装置を継続して探索している。
【課題を解決するための手段】
【０００４】
前述の問題は、空気処理装置が効率と有効性を最大化するための機能を含む、本発明により克服される。
【０００５】
一つの実施形態において、本発明は、ブロワにより創出された低圧力領域を、通路を通って空気を引込むために利用するセンサ付空気通路を含む。ブロワは、入口と出口を含み、また入口に空気を引込みかつ出口から空気を強制して外へ出すことができる。フィルタは、ブロワがフィルタを通って空気を引込むことができるようにブロワに対し配置される。センサ付流通路は、センサ入口と、周囲の空気の汚染を感知するためのセンサと、センサ出口を含む。センサ出口は、ブロワ出口から強制して外へ出された空気がセンサ出口に隣接して押進められ移動するように、ブロワ出口に対し配置される。ブロワ出口から強制して出された空気は、センサ付流通路を通って周囲の空気を引込むためにセンサ出口の隣接に低圧力領域を創出する。センサ付空気流通路を通って周囲の空気を引込むための方法も、開示される。
【０００６】
別の実施形態において、本発明は、フィルタ媒体とフィルタ枠を含む。フィルタ枠はフィルタ媒体を保持し、またフィルタ枠と一体に形成された複数のコネクタを含む。コネクタは、フィルタ枠を空気処理装置に取外し自在に取付けるようになっている。
【０００７】
別の実施形態において、本発明は、取入れ口を有するブロワと、ブロワ取入れ口に隣接して配置されるスクリーンと、複数の斜めの撚り線を含むスクリーンと、斜めの撚り線が特定方向に配向されるようにブロワに対しスクリーンを配置するための手段を含む。
【０００８】
別の実施形態において、本発明は、空気処理装置の操作を制御できるリモコンと、ブロワ及びフィルタを保持するハウジングと、ハウジングと一体に形成されたリモコン・ホルダを含む。リモコン・ホルダは、リモコンを収納できかつ保持できる凹所を含む。
【０００９】
別の実施形態において、本発明は、ブロワと、フィルタと、ハウジングを含む。ブロワは、入口と出口を含み、また空気を入口に引込み、かつ空気を強制して出口の外へ出すよう操作できる。フィルタは、ブロワが、フィルタを通して空気を引込むことができるように、ブロワに対し配置される。ハウジングは、ブロワとフィルタを保持する。ガスケットが、ブロワとハウジングとの間に配置され、ブロワとハウジングとの間でシールを形成する。
【００１０】
本発明の、これらと他の目的と、有利性と、機能は、この実施形態と図面の詳細説明を参照することにより容易に納得され、かつ理解される。
【図面の簡単な説明】
【００１１】
【図１】図１は、本発明の一実施形態に記載の空気処理装置の分解図である。
【図２】図２は、本発明の背面斜視分解図である。
【図３】図３は、その側面断面図である。
【図４】図４は、その底面斜視分解図である。
【図５】図５は、その前面斜視図である。
【図６】図６は、その側面分解図である。
【図７】図７は、前面遮蔽体及び装備部品と、先行フィルタと、リモコンの分解図である。
【図８】図８は、装置の正面図である。
【図９】図９は、装置の平面断面図である。
【図１０】図１０は、装置の平面図である。
【図１１】図１１は、装置の側面断面図である。
【図１１ａ】図１１aは、フィルタ・ハウジングとフィンガ・ガ−ドの分解図である。
【図１２】図１２は、フィンガ・ガードの正面図である。
【図１３】図１３は、フィンガ・ガードの底面図である。
【図１４】図１４は、センサ付空気流通路の構成要素の分解図である。
【図１５】図１５は、モータ・ガスケットの正面図である。
【図１５ａ】図１５ａは、図１５の線Ｂ−Ｂに沿ったモータ・ガスケットの側面断面図である。
【図１５ｂ】図１５ｂは、図１５の線Ａ−Ａに沿ったモータ・ガスケットの側面断面図である。
【図１５ｃ】図１５ｃは、図１５ａの円周Ｃ中の、モータ・ガスケットの部分の接写図である。
【図１５ｄ】図１５ｄは、図１５ｂの円周Ｄ中の、モータ・ガスケットの部分の接写図である。
【図１６】図１６は、センサ付空気流通路の平面断面図である。
【図１７】図１７は、微粒子センサの一実施形態の背面図である。
【図１７ａ】図１７ａは、その背面図である。
【図１７ｂ】図１７ｂは、その平面図である。
【図１７ｃ】図１７ｃは、その右側面図である。
【図１７ｄ】図１７ｄは、その左側面図である。
【図１７ｅ】図１７ｅは、その背面斜視図である。
【図１８】図１８は、センサ・プラグの正面斜視図である。
【図１９】図１９は、センサ・プラグの背面斜視図である。
【図２０】図２０は、リモコンとリモコン・ホルダの分解図である。
【図２１】図２１は、保存状態のリモコンの背面斜視図である。
【図２２ａ】図２２ａは、リモコンの一実施形態の底面図である。
【図２２ｂ】図２２ｂは、その側面断面図である。
【図２２ｃ】図２２ｃは、その平面図である。
【図２２ｄ】図２２ｄは、その正面図である。
【図２２ｅ】図２２ｅは、その側面図である。
【図２２ｆ】図２２ｆは、その背面図である。
【図２３】図２３は、装置とリモコン・ホルダの背面斜視図である。
【図２３ａ】図２３ａは、図２３の円周で囲まれたリモコン・ホルダの接写図である。
【図２４】図２４は、リモコン・ホルダの側面断面図である。
【図２５】図２５は、リモコンの平面斜視図である。
【図２５ａ】図２５ａは、リモコンの底面斜視図である。
【図２６】図２６は、フィルタ・ハウジングに一部設置される微粒子フィルタの側面断面図である。
【図２７】図２７は、先行フィルタと正面シェルと装備部品とを取外された、フィルタ・ハウジング内に一部設置される微粒子フィルタの正面分解図である。
【図２８】図２８は、フィルタ・ハウジングに一部設置される微粒子フィルタの底面の接写断面図である。
【図２９】図２９は、微粒子フィルタ枠の背面図である。
【図３０】図３０は、図２９の線Ｃ−Ｃに沿った微粒子フィルタ枠の底面断面図である。
【図３１】図３１は、図２９の線Ａ−Ａに沿ったフィルタ枠の底面断面図である。
【図３２】図３２は、図２９の線Ｂ−Ｂに沿ったフィルタ枠の底面断面図である。
【図３３】図３３は、微粒子フィルタ枠の側面図である。
【図３４】図３４は、微粒子フィルタ枠の正面斜視図である。
【図３５】図３５は、微粒子フィルタ枠の背面斜視図である。
【図３６】図３６は、微粒子フィルタ枠の正面図である。
【図３７】図３７は、微粒子フィルタ枠の平面図である。
【図３８】図３８は、微粒子フィルタと枠の側面断面図である。
【図３９】図３９は、図３８の円周で囲まれた微粒子フィルタと枠の部分の接写側面断面図である。
【図４０】図４０は、微粒子フィルタ枠の底面図である。
【発明を実施するための形態】
【００１２】
一つの実施形態に記載の空気処理装置は、図１と５に図示され、また付番１０で全体標示される。空気処理装置１０は、前面部１４と、背面部１６と、ブロワ１８を有するハウジング１２を含む。ブロワ１８は、前面部１４を通って空気を中に引込み、また背面部１６を通って空気を強制して外へ出すことによりハウジング１２を通る空気を循環する。先行フィルタ３２０と、微粒子フィルタ３２２と、脱臭フィルタは、ハウジング１２を通って空気を移動するとき、空気を処理するために空気流通径路に沿って配置される。装置１０は、電子制御装置１００により操作される。
【００１３】
ハウジング１２は一般に、前面遮蔽体３０と、前面装備部品３２と、フィルタ・ハウジング３４と、出口ダクト３６と、後部シェル３８から構成される。ハウジング１２は、広範な材料から作製される。図示されるように、ハウジング１２の構成要素は、プラスチックから成る多数の部品から形成されるが、構成要素の一部もしくは全部は、一体部品の要素として形成される。前面遮蔽体３０と前面装備部品３２は、ハウジング１２の前面部分１４を形成する。フィルタ・ハウジング３４と、出口ダクト３６と、後部シェル３８は、ハウジング１２の背面部分１６を形成する。より詳細に後述されるように、ブロワ１８は、前面部分１４を通して外部空気を引込み、様々なフィルタを経て、空気を背面部分１６から強制して外へ出す。
【００１４】
図１−１２に示されるように、前面遮蔽体３０は、ハウジング１２の前表面を形成し、また様々なフィルタ用の覆いとしての役割を果たす。前面遮蔽体３０は、空気が遮蔽体を通り抜けてハウジング１２に達することが可能な一つ以上の開口部４０を有する、また、あるいは複数のスロットを有するグリルであると良い。図２に示されるように、前面遮蔽体３０は、前面装備部品３２上の容器４８中に延びる後表面４６上に複数の蝶ネジ４４を有する。前面装備部品３２は、前面遮蔽体３０をハウジング１２の残部に接続する。図２に示されるように、前面装備部品３２は、側面枠部材５０と、５２から延びている容器４８を含む周縁枠である。容器４８は、前面遮蔽体３０を収納し、かつ前面遮蔽体３０と装備部品３２の周辺の前面装備部品３２との間に隙間を創出し、空気が前面遮蔽体３０の開口部４０と隙間５４との両方を通ってハウジングに進入することを可能にするために、枠の中央に向かって突出し、また前面遮蔽体３０に向かって外向きに曲る。装備部品３２は、装備部品３２をフィルタ・ハウジング３４に取付けるためのくい５８を有する後表面５６を含む。
【００１５】
図１と８を参照すると、フィルタ・ハウジング３４は、ブロワ開口部とパネル６０の周辺の殆どに延びている周縁フランジ６４を有する切欠き６２を備えるパネル６０を含む。図６に示されるように、パネル６０は、湾曲形状を有する。ブロワ開口部６２は、フィルタ・ハウジング３４の下端部６６の付近のパネル６０に配置される。周縁フランジ６４は、装備部品３２のくい５８を収納するための複数の容器６７を含む。接続されるとき、くい５８は、パネル６０と装備部品３２との間の距離を維持し、かつパネル６０と様々なフィルタを保持するための装備部品３２との間の間隔を創出するために、容器６７内に延びる。フランジ６４は同様に、微粒子フィルタ３２２（後述される）上にスナップ式ホック７０を収納するためのスロット６８（図４と２７に示される）を含む。示されるように、スロット６８は、頂面部材７６から側面部材７２と、７４の長さの約１/4の間隔を開けられた、周縁フランジ６４の両側面部材７２と、７４上に配置される。図２５と２６に示されるように、フィルタ・ハウジング３４は同様に、周縁フランジ６４の底面部材８０にスロット７８を含む。後述されるように、スロット７８は、微粒子フィルタ枠８４から延びている係合タブ８２を収納する。図６に示されるように、フィルタ・ハウジング３４はさらに、底面部材８０から下向きに延びている足部７９を含む。足部７９は、ハウジングが床の上に直立して立つための表面を与える。
【００１６】
図１３と１３ａに示されるように、フィルタ・ハウジング３４の前表面８６は、切欠き６２の周辺の複数のネジ突起８８を含む。ネジ突起８８は、フィンガ・ガード９０を切欠き６２の上方に取付けるための複数のネジ（示されていない）を収納する。図１１-１１ａに示されるように、フィンガ・ガード９０は、ユーザがブロワ１８に接触しないようにする。図１２と１３により詳細に示されるように、フィンガ・ガード９０は一般に、拡大された金属メッシュである。メッシュは、金属のシートにスリットを切り込み、また次にスリットを引き離すように金属を延ばすことにより形成され、複数のダイヤモンド形の開口９２を形成している。メッシュは、周辺９５に一緒に保持される交差撚り線９４を備える金属の単体のままである。最も拡張された金属製品と同様に、交差メッシュ撚り線の各々は、撚り線厚と撚り線幅を有する。撚り線厚は一般に、撚り線幅よりも大きい。メッシュが形成されるとき、撚り線９４は、同一方向に曲げられる場合が多く、その結果メッシュを通って流動する空気は、金属製撚り線の角度に対する自身の方向に応じた異なる距離を備えて接触される。一つの方向の空気流動は、メッシュを通り抜けるために撚り線厚全体の周囲を流動することを必要とするが、別の方向の空気流動は、撚り線幅の周囲を流動することを必要とするのみである。したがって、フィンガ・ガード９０は、ブロワ１８に進入する空気の流動の方向を制御するのに役立つ。図示された実施形態によると、フィンガ・ガード９０は、ブロワ１８に進入する空気が、フィルタ・ハウジング３４の内部の頂部から引込まれるように配向されるのが好ましい。前述のフィンガ・ガード９０の配列と連結されたフィルタ・ハウジング３４の内部の外形形状は、フィルタを横断する空気の流動を一様に配分するのに役立つ。一つの実施形態において、フィンガ・ガード９０の周縁９５は、多数のネジ孔９６を含む。ネジ孔はメッシュ撚り線の隅部に締結され、その結果ネジ孔が、ネジ突起８８と一直線に並ぶとき、フィンガ・ガード９０は、フィンガ・ガード９０を通って流動する空気の抵抗を最小化するために、空気流動の方向に対し配向される。図１２と１３に示されるように、フィンガ・ガード９０は同様に、フィルタ・ハウジング３４の前表面８６から延びている一つ以上の突起１０４に係合し、ネジ突起８８の合っている一つを用いてネジ孔の各々を配置するのに役立つ、周縁９５の位置決め切欠き９１を含む。あるいは、突起１０４は、ネジ突起８８の一つのように、ハウジング３４の他の部分から延びることがある。さらに、図１１に示されるように、フィンガ・ガード９０は、周縁９５でフィルタ・ハウジング３４と接触するが、中心部分９７においてフィルタ・ハウジング３４から離れて拡がる、外形表面を有する。湾曲部は、フィンガ・ガード９０とブロワ１８との間に余剰空間を創出し、ブロワ１８の効率を増大する。突起１０４とネジ突起８８の組合せは、切欠き６２の軸の周囲のフィンガ・ガードの適切な円周配向と軸配向を保証する。
【００１７】
出口ダクト３６は、フィルタ・ハウジング３４の後表面１０６に接続し、またブロワ１８用のチャンバ１０７（図３に示される）を形成する。図１と８を参照すると、出口ダクト３６は一般に、周縁リム１０８と、側壁１１０と、背面パネル１１４を含む。周縁リム１０８は、組み合わせるとき、出口ダクト３６の上端部１１２が、フィルタ・ハウジング３４の頂部材７６の上に延びるのを除き、フィルタ・ハウジング３４上のガスケット・クラッシュ・リブ６５とほぼ同一の大きさである。リム１０８は、フィルタ・ハウジング３４中の対応するネジ孔（示されていない）を通って延びているネジ（示されていない）を収納するための複数のネジ突起１０９を含む。発泡体、もしくはゴム、もしくは別のシール材から成るガスケット（示されていない）は、フィルタ・ハウジング３４のガスケット・クラッシュ・リブ６５に係合し、フィルタ・ハウジング３４と出口ダクト３６との間でそれらを接続するとき気密シールを創出するように、リム１０８に取付けられ、かつリム１０８の周囲に延びる。側壁１１０は、リム１０８からリム１０８にほぼ垂直に延びる。図６に示されるように、側壁１１０は、出口ダクト３６の上端部１１２に接近するとき幅が先細る。後部パネル１１４は、リム１０８の向かい側の側壁１１０から延びる。後部パネル１１４は、ブロワ１８を取付けるための第一の切欠き１１５と、空気を抜き出すための開口部を有する第二の切欠き１１８を含む。図１４に示される、第一の切欠き１１５はほぼ円形であり、また後部パネル１１４の下部１２０に配置される。複数のネジ孔１２２は、ブロワ１８を後部パネル１１４に取付けるために、ブロワ１８を通って延びるネジ（示されていない）を収納するための第一の切欠き１１５の周囲に配置される。第二の切欠き１１８は、後部パネル１１４の上部部分１２１に配置され、上部部分１２１のほぼ全てを覆う。図６に示される、一つの実施形態において、第二の切欠き１１８の上の後部パネル１１４の上部部分１２１は、凹所１２３を含む。凹所１２３は、フィルタ・ハウジング３４と出口ダクト３６が接続されるとき、フィルタ・ハウジング３４の頂部材７６の頂部にほぼ収まるように、フィルタ・ハウジンフ３４に向かって後部パネル内に延びる。より詳細に後述されるように、出口ダクト３６が外部シェル３８に接続されるとき、凹所１２３は、リモコン・ホルダ１６１を形成するために外部シェル３８の一部と連結する。図２と、１６と、２３と、２３ａと、２４に示される、一つの実施形態において、凹所１２３は、右側壁１６６と、左側壁１６８と、底面壁１６９を含む。右側壁１６６は、後部パネル１１４にほぼ垂直である。左側壁１６８は、後部パネル１１４から斜めに延び、また空気孔１７０を有する。後述されるように、空気孔１７０は、センサ付空気通路１７２の一部を形成する。底面側壁１６９は、後部パネル１１４と隅部１８０（図８に示される）を形成するように、後部パネル１１４から後部パネル１１４にほぼ垂直に延びる。図２０と、２４と、２４ａに示されるように、一つの実施形態において、底面パネル１６９は、隅部１８０で一対の下向きに延びているスナップ式に収まる凹所１８２と、１８４を含む。後述されるように、スナップ式に収まる凹所１８２と、１８４は、外部シェル３８と連結し、スナップ式に収まっているリモコン２００用の移動止めを形成する。
【００１８】
図１４に示されるように、ブロワ１８と外部ダクト３６との間の気密シールを付与し、騒音を低減し、振動を減衰するために、発泡体、もしくはゴム、もしくは別のシール材料から成るガスケットが、ブロワ１８（図１４には示されない）と後部パネル１１４との間に設置される。図１５−１５ｄに示される、ガスケット１２４の一つの実施形態において、ガスケット１２４は、ガスケット１２４から外向きに延びる突起１２５を含む。突起１２５は、ネジを囲みかつ気密シールを確実にするために、ネジ孔１２２内に延びる。さらに別の実施形態（示されない）において、ガスケット１２４の部分は、ネジ孔１２２を通り、かつ後部パネル１１４の後表面１２６を超えて延びる。この実施形態において、後表面１２６を超えて延びている部分は、ネジ孔１２２を通って延びているネジのネジ頭により係合され、またさらに優れたシールを付与するために後部表面１２６に対し折り重ねられる。
【００１９】
前述され、図１と、６と、３に示されるように、ブロワ１８は、後部パネル１１４への外部ダクト３６のチャンバ１０７に取付けられ、また羽根車１２８と直流モータ１３０を含む。モータ１３０の少なくとも一部は、後部パネル１１４の第一の切欠き１１５内に延びる。羽根車１２８は、出口ダクト３６の後部パネル１１４に垂直な軸の周囲を回転し、またフィルタ・ハウジング３４の切欠き６２と一直線に並ぶ。羽根車１２８は、空気をブロワ１８内に引込むために作動する多くの羽根１３２を含む。空気は、羽根車１２８の前面を通って中に引込まれ、また次に羽根車１２８の側面を経て、チャンバ１０７内に半径方向外向きに押進められる。ブロワ１８は、後述される、外部の電子制御装置１００により制御される。
【００２０】
後部シェル３８は、空気処理装置１０の後表面を形成し、また一般に一対の側壁１４２及び１４４と、側壁１４２と１４４との間に延びている外部パネル１４６を含む。図６に示されるように、側壁１４２及び１４４は、底端部１４８から頂端部１５０へ徐々に先細り、また頂端部１５０付近に一対の切欠き１５２と、１５４を含む。切欠き１５２と、１５４は、取っ手１６０と、１６２を収納する。取っ手１６０と、１６２は、後部シェル３８の側壁１４２及び１４４の切欠き１５２と、１５４を通って装置１０内に延びる別々のカップ形の部品として成型される。組立装置１０において、取っ手１６０と、１６２は、出口ダクト３６の上端部１１２の下方で、かつフィルタ・ハウジングの頂部材７６の上方に収まる。取っ手１６０と、１６２は、装置１０を持上げかつ輸送するためにユーザが各取っ手内に手を挿入することを可能にする。図２を参照すると、外部パネル１４６は、側壁１４２及び１４４の先細った外形に追随するように成形され、また下部部分２０２と上部部分２０４を含む。上部部分２０４は、装置１０から抜け出す空気通路用の第二の切欠き１１８と一直線に並ぶグリル２０６を含む。上部部分２０４はさらに、グリル２０６の上に配置される切欠き２０８（図２に示される）を含む。切欠き２０８は、出口ダクト３４の凹所１２３と一直線に並ぶ。
【００２１】
図８と１４−１６に示されるように、装置１０は、外部周囲の空気の特定状態を観測するためのセンサ３００を含む。センサ３００は、制御装置１００に周囲の空気に関する情報を提供するために制御装置１００に連結される。広範なセンサが、周囲の空気中の微粒子と化学物質などの状態を観測するために使用される。図示された実施形態において、センサ３００は、SHARP社により製造された型番号GP2Y1010AUなどの小型の微粒子センサである。図示されるように、センサ３００はほぼ長方形であり、前表面３０２と、後表面３０４と、微粒子通過孔３０６と、終端部３０８を含む。図１４ａと１５に示されるように、一つの実施形態において、センサ３００は、左側取っ手１６０の端部３１０と出口ダクト３６中の凹所１２３の左側側壁１６８との間の装置１０に配置される。この実施形態において、微粒子通過孔３０６は、側壁１６８中の空気孔１７０と一直線に並び、その結果取っ手１６０と、センサ通過孔３０６と、空気孔１７０を通る周囲の空気用のセンサ付空気通路１７２を形成している。微粒子センサ用フィルタ３１２は、センサ３００から大きな空気中微粒子をフィルタするために取っ手１６０内に圧入される。示されるように、センサ用フィルタ３１２は、柔軟な枠３１６を用いるスクリーン３１４を含む。センサ付空気通路１７２は、ハウジング１２内部のフィルタされたもしくはフィルタされていない空気が、センサ付空気通路１７２に進入しないよう、また周囲の空気のセンサ読取に影響しないようにするために、装置１０の残余部分からシールされる。図１４に示されるように、一つの実施形態において、発泡体製ガスケット１７３は、センサ３００の前表面３０２に取付けられ、またゴム製センサ用プラグ１７５は、センサ３００の後表面３０４に取付けられる。図１８と１９を参照すると、センサ用プラグ１７５は、センサ３００をより完全にシールするため、一つ以上のセンサ３００表面の全体に適合するよう特別に成形される。示されるように、センサ・プラグ１７５の第一の部分１７７は、微粒子通過孔３０６内に延び、また第二の部分１７９は、センサ３００の側面の周囲を包む。
【００２２】
リモコン２００は、装置１０の遠隔操作を可能にする、電池式赤外線リモコン２００である。リモコン２００は、上部表面２１０と、下部表面２１２と、第一及び第二の側端部２２０と、２２２を含む。上部表面は、装置１０の完全操作を可能にする複数の制御ボタン２１４を含む。図２２ａに示されるように、底部表面２１２は、下部表面２１２から延びている一対の側面突起２１６と一対の端部突起２１８を含む。端部突起２１８は、第一と第二の側端部２２０と、２２２との間の距離の約二分の一の間隔を開けられる。
【００２３】
前述され、また図２０と、２４と、２４ａと、２４ｂに示されるように、外部シェル３８中の切欠き２０８は、リモコン２００用のリモコン・ホルダ１６１を形成するために出口ダクト３６中の凹所１２３と連結する。切欠き２０８は、底面２２６と左及び右の側面２２８と、２３０を含む。ガイド・レール２４０は、リモコン２００の挿入用のスロットを創出するために、側面２２８と、２３０の各々から底面２２６の上へ短い距離延びる。図２４ａと、２０に同様に示されるように、さらなるガイド・レール２４１は、出口ダクト３６中の凹所１２３の左と右の側壁１６６と、１６８から延びる。凹所１２３にスナップ式に収まる凹所１８２と、１８４は、一対の移動止め突起２４４と、２４６を形成するために底面２２６と組み合される。リモコン２００がリモコン・ホルダ１６１内に挿入されるとき、リモコンの上部表面２１０は、ガイド・レール２４０と、２４１に係合し、また移動止め２４４と、２４６は、リモコンがスナップ式に定位置に収まるようにリモコン２００の下部表面上の端部突起２１８を収納する。リモコン２００は、リモコン２００の部分が切欠き２０８を通り、かつ出口ダクト３６の凹所１２３内に延びるように、リモコン・ホルダ１６１に収まる。リモコン２００は、保管と遮蔽のためにリモコン・ホルダ内部にじかに収まる。さらに、切欠き２０８と凹所１２３は、ユーザが手を挿入しかつ装置１０を輸送するための別の取っ手として機能する。リモコン２００は切欠き２０８の底部２２６付近に保存されるため、リモコン２００がリモコン・ホルダ１６１中に保存されるとき、取っ手を使用できる。リモコン・ホルダ１６１は、具体的な空気処理装置と一緒に本明細書に記載されるが、それはリモコンを使用する多くの他の空気処理装置に組込まれる。さらに、底面２２６は、ユーザがリモコン２００の下方に指を挿入し、ホルダ１６１からの取外しを容易にできる丸みのある切欠き２２７を含む。
【００２４】
脱臭フィルタ３２４は、脱臭フィルタ３２４の外端部がフィルタ・ハウジング３４の周縁フランジ６４に係合するように、フィルタ・ハウジング３４内部に置かれる。脱臭フィルタ３２４はほぼ長方形であり、また周縁フランジ６４とほぼ同一の拡がりをもつ。脱臭フィルタ３２４は、ダイカット板紙枠３３０と、活性炭媒体（見えない）を含むのが好ましい。
【００２５】
微粒子フィルタ３２２は、空気から細かい微粒子物質を取除くために装置１０内部に設置される。微粒子フィルタ３２２は、フィルタ媒体３２３とフィルタ枠８４を含み、またフィルタ・ハウジング３４に接して置かれ、またシール・ビーズ３７０を用いてシールされる。フィルタ媒体３２３は、襞のあるHEPAフィルタ媒体であるのが好ましい。このフィルタ媒体３２３を、溶融ポリプロピレン製エレクトレット型ガラスファイバもしくは他の従来媒体により交換できる。
【００２６】
図２５−４０を参照すると、微粒子フィルタ枠８４は一般に、成型された熱可塑性物質であるが、多様な物質から成形できる。図示された実施形態によると、フィルタ枠８４は成型された熱可塑性物質の単体から成るが、フィルタ枠８４を共に連結された多数の部品から構成できる。フィルタ枠８４は、具体的な空気処理装置と一緒に本明細書に記載されるが、フィルタを組込む多くの異なる空気処理装置に使用できるようになっている。図２９に示されるように、フィルタ枠８４は、頂部材３５０と、底部材３５２と、対向側部材３５４と、３５６を含む。枠部材の各々は、前表面３５８と後表面３６０を含む。複数の細長い薄板３６２が、枠部材の後表面３６０で、側部材３５４と、３５６との間及び頂部材３５０と底部材３５２との間に延びる。微粒子フィルタ媒体３２３は、枠部材の内部に収まり、また細長い薄板３６２に接して置かれる。それは、通常の接着剤（示されていない）により枠８４内部の定位置に保持される。枠８４は、フィルタ・ハウジング３４に枠８４を取外し自在に接続するための多数のスナップ式ホック７０を含む。図示されるように、スナップ式ホック７０は枠８４と一体に形成され、また頂部材３５０から側部材の長さの約1/4の側部材３５４と、３５６上に配置される。図３０に示されるように、この実施形態において、第一の部分３５１は、側部材３５４と、３５６の前表面３５８から外向きに延び、また一定半径の湾曲部３６４と、枠８４の後表面３６０を超えて枠８４の側部材３５４と、３５６と平行して湾曲部３６４から延びている細長い部分３６６を含む。細長い部分３６６は、かかりのついた端部３６８を含む。図２７に示されるように、かかりのついた端部３６８は、フィルタ・ハウジング３４の周縁フランジ６４中のスロット６８内に挿入される。一定半径の湾曲部３６４は、スナップ式ホック７０が、スロット６８からスナップ式ホック７０の挿入と取外しを容易にするため屈曲されるようにちょうつがいとしての役割を果す。代りの実施形態において、スロット６８をフィルタ枠８４上に包含でき、またスナップ式ホック７０はフィルタ・ハウジング３４から延長できる。枠の後表面３６０はさらに、枠８４の周囲に延び、かつフィルタ・ハウジング３４に係合し、枠８４とフィルタ・ハウジング３４との間の気密シールを創出するシール・ビーズ３７０（図３３と３４に示される）を含む。脱臭フィルタ３２４は、フィルタ・ハウジング３４の突起１０４と微粒子フィルタ３２２との間に把持される。スナップ式ホック７０の各々はさらに、先行フィルタ３２０上の対応するタブ３８０を収納するためにスナップ式ホック７０の第一部分３５１にスロット容器３７２を含む。枠８４は、先行フィルタ３２０上のさらなる対応タブ３８０を収納するためにスロット容器３８４を含む追加の突起３８２を含む。図２８に示されるように、底部材３５２は、フィルタ・ハウジング３４の周縁フランジ６４の底部材８０中のスロット７８内に延びるために、一つ以上の外向きに延びている突起８２を含む。図示されるように、二つの突起８２は底部材３５２に沿って間隔を開けられる。突起８２は、突起８２をスロット７８内に挿入し、また枠８４を所定の位置に回転するのを調整する湾曲表面を有する。フィルタ枠８４は、一つ以上の頂部材３５０と底部材３５２上に配置されるスナップ式ホック７０を包含できる。
【００２７】
操作中、微粒子フィルタ３２２は、枠８４の突起８２をフィルタ・ハウジング３４から離れて曲げられたフィルタ枠の頂部を備えるフィルタ・ハウジング３４上のスロット７８内に挿入することにより装置１０内に設定される。フィルタ枠８４の頂部部分は次に、フィルタ・ハウジング３４に向かって回転され、その結果スナップ式ホック７０は、フィルタ・ハウジング３４の頂部付近のスロット６８と一直線に並ぶ。スナップ式ホック７０は、かかり３６８がスロット６８内にスナップ式に収まるようにスロット６８内に挿入される。フィルタ枠８４の頂部付近の、スナップ式ホック７０の配置と嵌めあいは、シール・ビーズ３７０がフィルタ・ハウジング３４と気密シールを形成することを可能にする。微粒子フィルタ３２２の取外しは、かかり３６８を取外すためにスナップ式ホック７０を屈曲し、また次にフィルタ枠８４を挿入方向の反対側に回転することにより実行される。
【００２８】
前述されたように、先行フィルタ３２０は、空気が装置１０に進入するとき空気から比較的粗い粒子を取除くために、微粒子フィルタ枠８４の前表面３５８に取外し自在に取付けられる。粗い微粒子物質を取除くことにより、先行フィルタ３２０は、微粒子フィルタ３２２を防護する。先行フィルタ３２０は、ポリマ製支持構造体３９２に固定されたスクリーン（示されていない）を含む。一つの実施形態において、スクリーンは編みポリマであるが、ワイア・メッシュもしくは別の型のスクリーンであっても良い。支持構造体３９２は、フィルタ枠８４の前表面３５０上のスロット容器３７２と、３８４の内部に収まり、先行フィルタ３２０を微粒子フィルタ３２２の上方の、所定の位置に固定するようになっている、複数の取付けタブ３８０を含む。
【００２９】
前述されるように、装置１０は、電子制御装置１００により操作される。図示されるように、制御装置１００は、フィルタ・ハウジング３４の頂部材７６と出口ダクト３６の上端部１１２に取付けられ、またブロワ１８の操作を制御する従来の直流モータ制御回路（示されていない）を有する従来の回路基板と、微粒子及び脱臭フィルタの寿命を観測する従来の時間及び記録回路（示されていない）と、フィルタ・データが動力停止の場合に保存される従来式の不揮発性メモリ（例えばEPROM）（示されていない）と、ユーザが所望の操作パラメータを選定することが可能である従来式の入力回路（示されていない）とを含む。ユーザは、制御パネル３９６もしくはワイアレス・リモコン２００により制御装置１００を操作する。
【００３０】
空気流通径路
操作中、ブロワ１８は、前面遮蔽体３０を通り、また先行フィルタ３２０と、微粒子フィルタ３２２と、脱臭フィルタ３２４を通って外部空気を装置１０内に引込むために作動される。空気がフィルタを通り抜けるとき、フィルタの各々は、前述されたように空気から微粒子と臭気を取除くために機能する。空気は次に、フィンガ・ガード９０と羽根車１２８を通って中に引込まれ、また羽根車１２８の側面を半径方向外向きに通り、そして出口ダクト３６中のチャンバ１０７内に推進められる。高速のフィルタされた空気は次に、出口ダクト３６中の第二の切欠き１１８の上方かつ外へ推進められ、また後部シェル３８中のグリル２０６を通って装置１０を抜け出る。空気は、装置１０の前面内に、また次に装置１０の後部の上方かつ外へ流動することにより、装置１０が操作される部屋の周囲を循環する。
【００３１】
高速のフィルタされた空気は装置１０を抜け出ると、空気は直接に、後部シェル３８の頂部にある切欠き２０８を通り過ぎ、またセンサ付空気通路１７２の空気孔１７０を通り過ぎて流動する。切欠き２０８の上方のこの高速空気流動は、取っ手１６８を通りかつセンサ付空気通路１７２を通って空気孔１７０付近に外部の周辺の空気を引込む役割を果す低圧力領域を創出する。図示された実施形態において、装置１０を通って引込まれる空気容量の約1/1000が、センサ付空気流通路１７２を通って引込まれる。センサ付空気通路１７２は装置１０の残余部分からシールされるので、装置内部からのフィルタされたあるいはフィルタされていない空気のどちらもセンサ付空気通路１７２に進入できず、センサ３００により収集された情報に影響しない。さらに、センサ付空気通路１７２は、装置１０の空気流動径路に直接配置されないので、装置により供給される清浄な空気の量を低減せず、また装置１０の効率に影響しない。この具体的な空気処理装置に関連して説明されたが、低圧力領域を創出し、かつセンサを通って空気を引込むために空気流を使用するこの機能は、多くの異なる空気処理装置内に別途に組み込まれる。
【００３２】
前述の説明は、本発明のこの実施形態の記載である。均等論を含む特許法の原理に従って解釈される添付の請求項に規定されるように、本発明の精神と広範な要旨から逸脱することなく、様々な修正と変更を実行できる。単数、例えば、冠詞“a”、もしくは“an”、もしくは“the”、もしくは“said”を使用する請求項の要素を引用するいずれも、要素を単数に限定することと解釈されてはならない。
【符号の説明】
【００３３】
１０    空気処理装置
１２    ハウジング
１４    前面部
１６    背面部
１８    ブロワ
３０    前面遮蔽体
３２    前面装備部品
３４    フィルタ・ハウジング
３６    出口ダクト
３８    後部シェル
４０    開口部
６０    パネル
６２    切欠き
６４    周縁フランジ
６６    下端部
６７    容器
６８    スロット
７２    側部材
７４    側部材
７６    頂部材
８０    底部材
８６    前表面
８８    ネジ突起
９０    フィンガ・ガード
９５    周縁
１００    電子制御装置
１０４    突起
１０７    チャンバ
１０８    周縁リム
１１０    側壁
１１２    上端部
１１４    後部パネル
１１５    第一の切欠き
１１８    第二の切欠き
１４２    側壁
１４４    側壁
１４６    外部パネル
１５２    切欠き
１５４    切欠き
１６０    取っ手
１６２    取っ手
１７３    発泡体製ガスケット
１７５    ゴム製センサ・プラグ
２００    リモコン
３００    センサ
３２０    先行フィルタ
３２２    微粒子フィルタ
３２４    脱臭フィルタ
３８０    タブ
３９２    支持構造体
【図１】
2011230123.tif 000003
【図２】
2011230123.tif 000004
【図３】
2011230123.tif 000005
【図４】
2011230123.tif 000006
【図５】
2011230123.tif 000007
【図６】
2011230123.tif 000008
【図７】
2011230123.tif 000009
【図８】
2011230123.tif 000010
【図９】
2011230123.tif 000011
【図１０】
2011230123.tif 000012
【図１１】
2011230123.tif 000013
【図１１ａ】
2011230123.tif 000014
【図１２】
2011230123.tif 000015
【図１３】
2011230123.tif 000016
【図１４】
2011230123.tif 000017
【図１５】
2011230123.tif 000018
【図１５ａ】
2011230123.tif 000019
【図１５ｂ】
2011230123.tif 000020
【図１５ｃ】
2011230123.tif 000021
【図１５ｄ】
2011230123.tif 000022
【図１６】
2011230123.tif 000023
【図１７】
2011230123.tif 000024
【図１７ａ】
2011230123.tif 000025
【図１７ｂ】
2011230123.tif 000026
【図１７ｃ】
2011230123.tif 000027
【図１７ｄ】
2011230123.tif 000028
【図１７ｅ】
2011230123.tif 000029
【図１８】
2011230123.tif 000030
【図１９】
2011230123.tif 000031
【図２０】
2011230123.tif 000032
【図２１】
2011230123.tif 000033
【図２２ａ】
2011230123.tif 000034
【図２２ｂ】
2011230123.tif 000035
【図２２ｃ】
2011230123.tif 000036
【図２２ｄ】
2011230123.tif 000037
【図２２ｅ】
2011230123.tif 000038
【図２２ｆ】
2011230123.tif 000039
【図２３】
2011230123.tif 000040
【図２３ａ】
2011230123.tif 000041
【図２４】
2011230123.tif 000042
【図２５】
2011230123.tif 000043
【図２５ａ】
2011230123.tif 000044
【図２６】
2011230123.tif 000045
【図２７】
2011230123.tif 000046
【図２８】
2011230123.tif 000047
【図２９】
2011230123.tif 000048
【図３０】
2011230123.tif 000049
【図３１】
2011230123.tif 000050
【図３２】
2011230123.tif 000051
【図３３】
2011230123.tif 000052
【図３４】
2011230123.tif 000053
【図３５】
2011230123.tif 000054
【図３６】
2011230123.tif 000055
【図３７】
2011230123.tif 000056
【図３８】
2011230123.tif 000057
【図３９】
2011230123.tif 000058
【図４０】
2011230123.tif 000059
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
頂部及び底部を有する内部を形成しているハウジングと；
羽根車を有するブロワであって、前記羽根車は、軸線回りで回転するように操作可能であり、前記軸線に沿って前記ブロワを通して空気を引き込む、ブロワと；
前記羽根車に隣接して配置され、前記軸線に関して斜めの撚り線厚を有する複数の斜めの撚り線を含むスクリーンと；
前記斜めの撚り線が、特定方向に配向されるように、前記スクリーンを前記ブロワに対し配置するための手段と；を具備し、
前記撚り線厚の前記隅部は、前記ハウジングの前記内部の前記頂部から前記撚り線を通して空気を引きこむ方向に配向されている、空気処理装置。
【請求項２】
前記ブロワと前記スクリーンを保持するためのハウジングを含み、前記ハウジングは、第一のコネクタ手段を含み、そして前記スクリーンは、第二のコネクタ手段を含み、前記第一のコネクタ手段と前記第二のコネクタが一直線に並ぶとき、前記撚り線が前記特定方向に配置されるように、前記第二のコネクタ手段は前記斜めの撚り線の隅部に締結され、その結果前記第一と第二のコネクタ手段が一直線に並ぶとき、前記撚り線は前記特定の方向に配置される、請求項１に記載の空気処理装置。
【請求項３】
前記第一のコネクタ手段は、前記ハウジングから延びている少なくとも一つのネジ突起を含み、また前記第二のコネクタ手段は、前記スクリーンに少なくとも一つのネジ孔を含む、請求項２に記載の空気処理装置。
【請求項４】
前記スクリーンは切欠きを有し、また前記ハウジングは、そこから延びているタブを含み、前記切欠きは、前記斜めの撚り線の隅部に締結され、かつ前記タブを収納するための大きさにされ、前記タブは、前記スクリーンの前記切欠きに収まるとき、前記撚り線を前記特定の方向に配向するように配置される、請求項２に記載の空気処理装置。
【請求項５】
前記スクリーンは、拡大された金属メッシュである、請求項１に記載の空気処理装置。
【請求項６】
前記スクリーンは、周縁と中心の部分を含み、また前記複数の撚り線は交差し、かつ前記周縁の周囲に一緒に保持される、請求項５に記載の空気処理装置。
【請求項７】
前記スクリーンは成形された表面を含み、その結果前記スクリーンは、前記周縁の少なくとも一部で前記ハウジングと接触状態にあり、前記スクリーンは、前記中心部分において前記ブロワ取入れ口から離れて拡がる、請求項６に記載の空気処理装置。
【請求項８】
第一の取付要素と、頂部と、底部とを有するハウジングと、
前記ハウジングによって保持されているブロワであって、前記ブロワはブロワ入口及びブロワ出口を有し、前記ブロワは、軸線回りで回転する羽根車を有し、前記羽根車が、前記軸線に沿って前記ブロワ入口を通して空気を引き込むことができる、ブロワと；
前記ブロワにわたって配置されたスクリーンとを備え、
前記スクリーンは、撚り線厚及び撚り線幅を有する複数の撚り線を有し、前記撚り線厚は、前記撚り線幅よりも大きく、前記撚り線は、前記羽根車の前記軸線に関してほぼ同じ方向に角度が付けられており、前記撚り線の前記角度によって、空気が前記スクリーンを通って流れ、前記スクリーンは、前記撚り線の隅部に関して締結されている第二の取付要素を有し、前記第二の取付要素は、前記複数の撚り線を予め定めた方向に配向するように、前記第一の取り付け要素と一直線に並び、前記複数の撚り線の角度は、前記ハウジングの内部の前記頂部から前記撚り線を通して空気を引き込む方向に配向されている、空気処理装置。
【請求項９】
前記第一の取付要素は、複数の突起と、前記ハウジング上に配置された一つの突起とを有し、前記第二の取付要素は、複数のファスナ穴と、前記スクリーン上に形成された一つの切欠きとを有し、前記複数の突起は、前記複数のファスナ穴と一直線上に並び、前記一つの突起は、前記複数の撚り線を前記予め定めた方向に配向するように前記切欠き内に延びている、請求項８に記載の空気処理装置。
【請求項１０】
前記スクリーンは、周りで延びている周縁リングを有する拡大された金属メッシュであり、前記複数のファスナ及び前記切欠きは、前記周縁リング上に配置されている、請求項９に記載の空気処理装置。
【請求項１１】
前記ハウジングは、ブロワ用切欠きを形成し、前記ブロワは、前記ブロワ用切欠き内に配置され、前記ハウジングは、地面と係合するのに適した足部と、前記足部から延びている下側部分と、前記下側部分から上方に延びている上側部分とを有し、前記ブロワ用切欠きは、前記下側部分内に配置され、前記スクリーンの前記複数の撚り線の各々が、前記ブロワに面している後側縁部と、前記後側縁部の反対にある前側縁部とを有し、前記複数の撚り線は、前記複数の撚り線の前記前側縁部が前記後側縁部よりも前記ハウジングの前記上側部分に近いように配向されている、請求項８に記載の空気処理装置。
【請求項１２】
前記スクリーンは、前記周縁リングの少なくとも一部分において、前記スクリーンが前記ハウジングと接触し、かつ前記スクリーンの一部分が中央部で前記ブロワのスクリーンから離れて延びているような成形された表面を有する、請求項１１に記載の空気処理装置。